(57)【要約】【課題】内部の基板にまで液体が到達しにくい厨房機器用のスイッチ装置、及び、これを備えた厨房機器を提案する。【解決手段】本発明に係るスイッチ装置１は、筐体２と、筐体２に収容された基板３と、基板３に設けられたスイッチ４と、外部から押し操作できるように筐体２に収容されたボタン５と、筐体２内の空間を、スイッチ４及び基板３が位置する第一空間Ｓ１とボタン５が位置する第二空間Ｓ２とに仕切る仕切り壁６と、仕切り壁６に設けられた貫通孔７と、貫通孔７に嵌まるように配された補助ボタン８を備える。スイッチ装置１は、ボタン５が押し操作されたときに、補助ボタン８を介してスイッチ４が押されるように構成されている。【選択図】図３
2018088370.tif 000002
【特許請求の範囲】
【請求項１】
筐体と、
前記筐体に収容された基板と、
前記基板に設けられたスイッチと、
外部から押し操作できるように前記筐体に収容されたボタンと、
前記筐体内の空間を、前記スイッチ及び前記基板が位置する第一空間と前記ボタンが位置する第二空間とに仕切る仕切り壁と、
前記仕切り壁に設けられた貫通孔と、
前記貫通孔に嵌まるように配された補助ボタンと、を備え、
前記ボタンが押し操作されたときに、前記補助ボタンを介して前記スイッチが押されるように構成されたことを特徴とする厨房機器用のスイッチ装置。
【請求項２】
前記補助ボタンは、本体部と、前記本体部から外側に突出したフランジ部とを有し、
前記本体部が前記貫通孔に位置し、前記フランジ部が前記第一空間に位置することを特徴とする請求項１に記載の厨房機器用のスイッチ装置。
【請求項３】
前記第一空間に位置し、前記補助ボタンの前記第一空間側への移動を規制するストッパーをさらに備えたことを特徴とする請求項２に記載の厨房機器用のスイッチ装置。
【請求項４】
前記ストッパーは、前記スイッチで構成されていることを特徴とする請求項３に記載の厨房機器用のスイッチ装置。
【請求項５】
前記本体部は、底を有する筒状体と、前記底から前記スイッチ側に突出した突起とを含み、
前記ボタンが押し操作されたときに、前記突起によって前記スイッチが押されるように構成されたことを特徴とする請求項２乃至４のいずれか１項に記載の厨房機器用のスイッチ装置。
【請求項６】
請求項１乃至５のいずれか１項に記載の厨房機器用のスイッチ装置と、
前記厨房機器用のスイッチ装置が組み込まれる厨房機器本体と、を備え、
前記厨房機器用のスイッチ装置は、前記ボタンと前記補助ボタンと前記スイッチが水平に並び、かつ前記貫通孔が前記仕切り壁を水平方向に貫通するように、前記厨房機器本体に設置されていることを特徴とする厨房機器。
【請求項７】
前記厨房機器本体は、加熱調理部を備え、
前記厨房機器用のスイッチ装置は、前記加熱調理部よりも下方に位置することを特徴とする請求項６に記載の厨房機器。
【発明の詳細な説明】
【技術分野】
【０００１】
本発明は、厨房機器用のスイッチ装置、及びこれを備えた厨房機器に関する。
【背景技術】
【０００２】
特許文献１には、加熱調理器の収納部に、基板とこの基板に設けられた電源スイッチとが収納された構造が記載されている。収納部のうち電源スイッチの上方の部分には開口穴が設けられており、この開口穴は、収納部に上から貼り付けられた防水部材のメンブレンによって塞がれている。メンブレンにはエンボスが設けられており、このエンボスは、開口穴を介して電源スイッチの操作を行うためのボタンを構成している。
【先行技術文献】
【特許文献】
【０００３】
【特許文献１】特開２００９−２９３８９２号公報
【発明の概要】
【発明が解決しようとする課題】
【０００４】
上記の従来の収納部の構造では、経年劣化や破損を原因として、メンブレンと収納部との間に隙間ができた場合に、吹きこぼれた煮汁等の液体が、この隙間から開口穴を通じて基板へと至り、ショート等の不具合が生じるおそれがある。
【０００５】
上記事情に鑑みて、本発明は、内部の基板にまで液体が到達しにくい厨房機器用のスイッチ装置、及び、これを備えた厨房機器を提案することを、目的とする。
【課題を解決するための手段】
【０００６】
本発明に係る一態様の厨房機器用のスイッチ装置は、筐体と、前記筐体に収容された基板と、前記基板に設けられたスイッチと、外部から押し操作できるように前記筐体に収容されたボタンと、前記筐体内の空間を、前記スイッチ及び前記基板が位置する第一空間と前記ボタンが位置する第二空間とに仕切る仕切り壁と、前記仕切り壁に設けられた貫通孔と、前記貫通孔に嵌まるように配された補助ボタンと、を備える。
【０００７】
一態様の厨房機器用のスイッチ装置は、前記ボタンが押し操作されたときに、前記補助ボタンを介して前記スイッチが押されるように構成されている。
【０００８】
本発明に係る一態様の厨房機器は、前記の厨房機器用のスイッチ装置と、前記厨房機器用のスイッチ装置が組み込まれる厨房機器本体と、を備える。
【０００９】
前記厨房機器用のスイッチ装置は、前記ボタンと前記補助ボタンと前記スイッチが水平に並び、かつ前記貫通孔が前記仕切り壁を水平方向に貫通するように、前記厨房機器本体に設置されている。
【発明の効果】
【００１０】
本発明では、内部の基板にまで液体が到達しにくい厨房機器用のスイッチ装置、及び、これを備えた厨房機器を提案することができる。
【図面の簡単な説明】
【００１１】
【図１】図１は、本発明に係る実施形態１の厨房機器用のスイッチ装置を示す分解斜視図である。
【図２】図２は、同上の厨房機器用のスイッチ装置の組み立て状態を示す斜視図である。
【図３】図３は、同上の厨房機器用のスイッチ装置を示す側断面図である。
【図４】図４は、同上の厨房機器用のスイッチ装置が、押し操作されたときの状態を示す側断面図である。
【図５】図５は、同上の厨房機器用のスイッチ装置の補助ボタンを示す斜視図である。
【図６】図６は、本発明に係る実施形態１の厨房機器を示す斜視図である。
【図７】図７は、同上の厨房機器が備える厨房機器用のスイッチ装置と、その取付部材を示す斜視図である。
【図８】図８は、実施形態１の厨房機器用のスイッチ装置の変更例を示す側断面図である。
【図９】図９は、実施形態１の厨房機器用のスイッチ装置の他の変更例を示す側断面図である。
【図１０】図１０は、実施形態１の厨房機器用のスイッチ装置のさらに他の変更例を示す側断面図である。
【発明を実施するための形態】
【００１２】
（厨房機器用のスイッチ装置）
図１〜４には、本発明に係る実施形態１の厨房機器用のスイッチ装置１（以下、単に「スイッチ装置１」と記載する）が示されている。
【００１３】
スイッチ装置１は、筐体２と、筐体２に収容された基板３と、基板３に設けられたスイッチ４と、外部から押し操作できるように筐体２に収容されたボタン５を備える。さらにスイッチ装置１は、筐体２内の空間を、スイッチ４及び基板３が位置する第一空間Ｓ１とボタン５が位置する第二空間Ｓ２とに仕切る仕切り壁６と、仕切り壁６に設けられた貫通孔７と、貫通孔７に嵌まるように配された補助ボタン８を備える。さらにスイッチ装置１は、ボタン５と仕切り壁６との間に介在する付勢部材９を備える。スイッチ装置１は、ボタン５が押し操作されたときに、ボタン５により補助ボタン８を介してスイッチ４が押されるように構成されている。
【００１４】
スイッチ装置１では、ボタン５、補助ボタン８、及びスイッチ４が、この順に一方向に並んでいる。スイッチ装置１は、例えば、ボタン５と補助ボタン８とスイッチ４とが水平方向に並び、仕切り壁６に貫通孔７が水平方向に貫通する姿勢で用いられる。以下では、この姿勢を基準として、ボタン５と補助ボタン８とスイッチ４とが並ぶ方向を前後方向とし、この前後方向に対して平面視において直交する方向を左右方向として、各構成について説明する。各図において、矢印Ｘで示す方向が前方であり、矢印Ｙで示す方向が右方であり、矢印Ｚで示す方向が上方である。
【００１５】
まず、筐体２について詳しく説明する。
【００１６】
筐体２は、筐体本体部２０と、筐体本体部２０の前側に取り付けられる第一カバー部２１と、筐体本体部２０の後側に取り付けられる第二カバー部２２を有する。筐体２は、筐体本体部２０、第一カバー部２１、及び第二カバー部２２を組み立てて一体化することによって、略直方体状に設けられる。筐体２は、ＡＢＳ樹脂、ＰＢＴ（ポリブチレンテレフタレート）樹脂等で成形された樹脂成型品である。
【００１７】
筐体本体部２０は、後面が開口した略直方体状の箱型である。筐体本体部２０は、前板部２００と、前板部２００の上端から後方に突出した上板部２０１と、前板部２００の下端と一体の下板部２０２と、上板部２０１の左右端のそれぞれと一体の左右一対の側板部２０３，２０４を有する。下板部２０２は、その前端部が、前板部２００よりも前方に位置し、残りの部分が前板部２００から後方に突出している。左右一対の側板部２０３，２０４は、上板部２０１と下板部２０２のそれぞれに対しても一体である。板部２００，２０１，２０２，２０３，２０４が、後方に開口した略直方体状の箱型をなしている。筐体本体部２０はさらに、左右一対の側板部２０３，２０４のそれぞれの外側の面に設けられる上下一対の爪部２０５，２０６を有する。
【００１８】
第一カバー部２１は、筐体本体部２０との間に第二空間Ｓ２を形成する部材である。第一カバー部２１は、ボタン５を露出させるための開口部２１０が設けられた前カバー部２１１と、前カバー部２１１の上端から後方に突出した上カバー部２１２と、前カバー部２１１の下端から後方に突出した下カバー部２１３と、前カバー部２１１の左右端のそれぞれから後方に突出した左右一対の側カバー部２１４とを有する。
【００１９】
第一カバー部２１はさらに、前カバー部２１１のうち開口部２１０の左右の縁のそれぞれから後方に突出した一対の側支持片部２１５と、前カバー部２１１のうち開口部２１０の下縁から後方に突出した下支持片部２１６とを有する。一対の側支持片部２１５のそれぞれは、先端面（つまり後面）の上端部に、さらに後方に突出した受け面２１７を有する。第一カバー部２１はさらに、左右一対の側カバー部２１４のそれぞれから後方に向けて突出した側面視略Ｕ字状の爪部２１８を有する。
【００２０】
第二カバー部２２は、筐体本体部２０との間に第一空間Ｓ１を形成する部材である。第二カバー部２２は、前カバー部２２０と、前カバー部２２０の上端から後方に突出した上カバー部２２１と、前カバー部２２０の下端から後方に突出した下カバー部２２２と、前カバー部２２０の左右端のそれぞれから後方に突出した一対の側カバー部２２３とを有する。
【００２１】
第二カバー部２２はさらに、上カバー部２２１、下カバー部２２２、及び一対の側カバー部２２３のそれぞれの後端から外側に突出した矩形枠状のフランジ片部２２４と、フランジ片部２２４の左右の端部から前方に向けて突出した側面視略Ｕ字状の爪部２２５を有する。前カバー部２２０の一部には、前後方向に貫通する引き出し孔２２６が設けられている。
【００２２】
前カバー部２２０、上カバー部２２１、下カバー部２２２、及び一対の側カバー部２２３は、筐体本体部２０よりも一回り小さい箱型をなしている。フランジ片部２２４は、筐体本体部２０の矩形枠状の後面と略同じ形状である。
【００２３】
本実施形態では、筐体本体部２０の前板部２００が、仕切り壁６を構成している。
【００２４】
仕切り壁６は、仕切り壁６をその厚み方向に貫通する円孔状の貫通孔７と、仕切り壁６をその厚み方向に貫通する矩形孔状の第二貫通孔１０と、仕切り壁６から前方に突出した円筒状の筒部１１を有する。さらに仕切り壁６は、仕切り壁６のうち第二貫通孔１０の孔縁から前方に突出した角筒状の第二筒部１２と、仕切り壁６と一体に設けられた有底筒状の固定部１３を有する。
【００２５】
筒部１１は、仕切り壁６のうち貫通孔７の孔縁から前方に突出しており、貫通孔７と同心である。本実施形態では、筒部１１の内周面の直径と貫通孔７の直径とは同じであり、筒部１１の内側の空間と貫通孔７の内側の空間とは連通している。筒部１１は、第二筒部１２よりも前方への突出長さが長い。筒部１１の外周面には、コイルスプリングからなる付勢部材９の一端（後端）が取り付けられる。
【００２６】
固定部１３は、底壁１３０を有する円筒状であり、軸方向（前後方向）の中間部分が仕切り壁６と一体である。固定部１３は、その前端の開口が底壁１３０で閉じられている。固定部１３は、その内周面にねじ溝が設けられている。
【００２７】
第二貫通孔１０及び第二筒部１２と、貫通孔７及び筒部１１と、固定部１３は、この順に左右方向に並んで位置し、かつ互いに左右方向に離れて位置する。
【００２８】
仕切り壁６はさらに、仕切り壁６の下端部の左右方向の中央部から前方に突出した位置決め片１４と、仕切り壁６の下端部のうち位置決め片１４の左右に設けられた左右一対の回転規制用の爪部１５を有する。
【００２９】
筐体本体部２０の左右一対の上側の爪部２０５に、第一カバー部２１の左右一対の爪部２１８を引っ掛けることで、筐体本体部２０に対して第一カバー部２１は取り付け可能である。また、筐体本体部２０の左右一対の下側の爪部２０６に、第二カバー部２２の左右一対の爪部２２５を引っ掛けることで、筐体本体部２０に対して第二カバー部２２は取り付け可能である。
【００３０】
筐体本体部２０に第一カバー部２１を取り付けた状態で筐体本体部２０の前板部２００（仕切り壁６）と第一カバー部２１の前カバー部２１１との間に形成される空間が、ボタン５及び付勢部材９が配される第二空間Ｓ２である。筐体本体部２０に第二カバー部２２を取り付けた状態で筐体本体部２０の前板部２００（仕切り壁６）と第二カバー部２２の前カバー部２２０との間に形成される空間が、スイッチ４等が実装された基板３が配される第一空間Ｓ１である。
【００３１】
続いて、ボタン５について詳しく説明する。
【００３２】
ボタン５は、利用者によって押し操作される略矩形のブロック状の操作部５０と、操作部５０の後端の周縁部から突出した正面視略Ｕ字状のフランジ片部５１と、フランジ片部５１の下端から後方に突出した側断面略直角三角形状の爪部５２とを備える。爪部５２の左右方向の中央部には、仕切り壁６の下端部の位置決め片１４が収まる切欠き５２０が設けられている。
【００３３】
ボタン５はさらに、操作部５０から後方に突出した操作片５３を備える。操作片５３は、本実施形態では、突出方向（つまり後方）に対して直交する断面の形状が＋（プラス）字状である。ボタン５はさらに、操作部５０の一部に設けられた表示窓５４と、表示窓５４から後方に延びるように設けられた角棒状の導光部５５を備える。導光部５５は、操作片５３よりも後方に突出している。
【００３４】
ボタン５は、第一カバー部２１と筐体本体部２０との間の第二空間Ｓ２に、外部から押し込み操作できるように収容される。詳しくは、ボタン５は、その下端の爪部５２が、一対の爪部１５に対向して位置し、爪部５２の切欠き５２０に、仕切り壁６の下端部の位置決め片１４が差し込まれ、筒部１１に取り付けられた付勢部材９の内側に操作片５３が挿通され、仕切り壁６の第二貫通孔１０に導光部５５が挿通される状態で、仕切り壁６の前側に配される。このとき、ボタン５の下端の爪部５２が仕切り壁６の下端部の爪部１５に当たることによって、付勢部材９からの付勢力を受けたボタン５の前方への回転移動が規制される。これにより、前側にボタン５が配された筐体本体部２０に対しての第一カバー部２１の取り付けが行いやすくなっている。
【００３５】
このようにボタン５が筐体本体部２０の前側に配された状態で、筐体本体部２０に対して第一カバー部２１が取り付けられることで、ボタン５は筐体本体部２０と第一カバー部２１の間の第二空間Ｓ２に収容される。収容状態において、操作部５０は第一カバー部２１の開口部２１０に位置して外部に露出し、フランジ片部５１は付勢部材９によって前方に付勢されて、第一カバー部２１の一対の側支持片部２１５のそれぞれの上端部の受け面２１７に当たる。
【００３６】
ボタン５は、フランジ片部５１が受け面２１７に当たった待機位置と、操作片５３が補助ボタン８を介してスイッチ４を押し込んだ操作位置との間で、移動自在である。利用者によって押し操作されることで、ボタン５は待機位置から操作位置へと移動可能である。利用者による押し操作が解除されると（つまり操作部５０から利用者が手を離すと）、ボタン５は付勢部材９による付勢力によって、操作位置から待機位置へと自動的に移動可能である。
【００３７】
ボタン５は、下端の爪部５２を中心に操作部５０が前後に回転移動することによって、待機位置と操作位置との間で移動する。ボタン５は、待機位置にあるときに、操作片５３が補助ボタン８から離れて位置するように設けられている。
【００３８】
続いて、基板３及びスイッチ４について詳しく説明する。
【００３９】
基板３は、矩形板状のプリント基板である。基板３の厚み方向の一方の面には、スイッチ４と、ＬＥＤ等の光源３０が実装され、基板３の厚み方向の他方の面には、他の電気機器と接続するためのコネクタ３１が実装されている。基板３は、スイッチ４及び光源３０が実装された面が前方を向き、仕切り壁６に対して平行となるように、筐体本体部２０内に設置される。
【００４０】
光源３０は、基板３の前面のうち、仕切り壁６の第二貫通孔１０の後方に並ぶ箇所に位置している。光源３０は、スイッチ４が押し操作される毎に、状態が切り替わる。光源３０は、例えば、点灯と消灯が切り替わったり、発光する色が切り替わる。光源３０の状態は、導光部５５を通じて、操作部５０の表示窓５４に表示される。
【００４１】
基板３はさらに、基板３を厚み方向に貫通する固定孔３２を有する。基板３は、固定孔３２に後方から打ち込まれるねじ等の固定具によって、仕切り壁６の固定部１３に固定され、これにより、仕切り壁６に対して平行に設置される。このとき、固定部１３の後端面に基板３の前面が当たることで、基板３及びスイッチ４の前後位置が定まる。
【００４２】
スイッチ４は、本実施形態では、タクタイルスイッチであり、押し操作されたときに、利用者にクリック感を付与することができる。スイッチ４は、基板３の前面のうち、貫通孔７の後方に並ぶ位置に実装されている。
【００４３】
スイッチ４は、補助ボタン８によって押される突没自在なプランジャ４０と、この後方に位置する反転バネ４１を有する。クリック感の付与は、反転バネ４１によって行われる。
反転バネ４１による付勢力によって、プランジャ４０は、押し操作された没位置から押し操作される前の突位置へと復帰させることができる。このとき、復帰するプランジャ４０によって補助ボタン８が前方に押されることで、補助ボタン８もスイッチ４を押し操作した位置から、それよりも前方の位置へと移動させることができる。
【００４４】
スイッチ４、光源３０及びコネクタ３１が実装された基板３の仕切り壁６への取り付けは、仕切り壁６の貫通孔７に補助ボタン８が配された状態で行われる。仕切り壁６へ基板３を取り付けた状態で、筐体本体部２０には第二カバー部２２が取り付けられる。基板３に実装されたコネクタ３１は、第二カバー部２２の引き出し孔２２６を通じて後方に突出して、外部に露出する。
【００４５】
続いて、補助ボタン８について詳しく説明する。
【００４６】
補助ボタン８は、本体部８０と、本体部８０から外側に突出したフランジ部８１とを有する。本体部８０は、底８０１を有する筒状体８００と、底８０１からスイッチ４側（つまり後方）に突出した突起８０２とを含む。
【００４７】
本実施形態では、筒状体８００は、円筒状であり、その前端の開口が底８０１によって閉塞されている。底８０１は、円板状である。筒状体８００の後端から、フランジ部８１が外側に突出している。フランジ部８１は、円環状である。筒状体８００の直径は、貫通孔７の直径よりも僅かに短い。筒状体８００の前後方向の長さは、貫通孔７及び筒部１１の合計の前後方向の長さよりも短い。フランジ部８１の外径は、貫通孔７の直径よりも長い。
【００４８】
突起８０２は、底８０１の後面（第一空間Ｓ１側の面）の中央部から後方に突出している。突起８０２と筒状体８００の内周面との間には隙間が形成される。突起８０２の先端面（後面）は、フランジ部８１の後面よりも前方に位置する。図５に示すように、突起８０２は、突出方向（つまり後方）に対して直交する断面の形状が、＋（プラス）字状である。
【００４９】
補助ボタン８は、貫通孔７に嵌まるように配された状態で、本体部８０が貫通孔７内に位置し、フランジ部８１が第一空間Ｓ１に位置する。ここで、嵌まるように配されるとは、本体部８０と貫通孔７との間に隙間が無い状態で、貫通孔７内に本体部８０が位置する場合に限らず、本実施形態のように、本体部８０と貫通孔７との間に僅かな隙間がある状態で、貫通孔７内に本体部８０が位置する場合も含む。
【００５０】
補助ボタン８は、本体部８０が貫通孔７内に位置する範囲で、前後方向に移動自在である。詳しくは、補助ボタン８は、フランジ部８１が仕切り壁６の第一空間Ｓ１側の面に当たった前位置と、突起８０２がスイッチ４を押し込んだ後位置との間で、前後方向に移動自在である。本実施形態では、補助ボタン８は、前位置にあるとき、本体部８０の前端部が筒部１１内に位置し、本体部８０の残りの部分全体が貫通孔７内に位置し、後位置にあるとき、本体部８０の一部である前部分が貫通孔７内に位置する。
【００５１】
補助ボタン８は、仕切り壁６の貫通孔７に対して後側（第一空間Ｓ１側）から挿入することで、貫通孔７内に配される。
【００５２】
続いて、スイッチ装置１の動作について詳しく説明する。
【００５３】
図３には、利用者によってボタン５が押し操作されていない、待機状態のスイッチ装置１が示されている。
【００５４】
待機状態のスイッチ装置１では、ボタン５は、フランジ片部５１が第一カバー部２１の一対の側支持片部２１５のそれぞれの受け面２１７に当たった待機位置に位置する。補助ボタン８は、本体部８０の全体または略全体が貫通孔７内に位置し、フランジ部８１が仕切り壁６の第一空間Ｓ１側の面に当たるか、僅かな隙間を介して位置する。スイッチ４のプランジャ４０は、押し操作される前の突位置に位置する。ボタン５の操作片５３と補助ボタン８の底８０１とは、僅かな隙間を介して位置し、補助ボタン８の突起８０２とスイッチ４のプランジャ４０とは僅かな隙間を介して位置する。ここで、補助ボタン８の突起８０２とスイッチ４のプランジャ４０との間の隙間の前後方向の寸法は、筒状体８００の前後方向の長さ（底８０１の前面からフランジ部８１の前面までの前後方向の距離）よりも短く、スイッチ４は補助ボタン８の第一空間Ｓ１側への移動を規制して、貫通孔７からの補助ボタン８の抜け落ちを防ぐストッパー１６を構成している。
【００５５】
待機状態のスイッチ装置１において、ボタン５が利用者によって押し操作されることで、図４に示す操作状態のスイッチ装置１のように、スイッチ装置１の各構成が動作する。
【００５６】
詳しくは、利用者によってボタン５の操作部５０が押し操作されると、ボタン５は、爪部５２の先端（後端）を中心に回転して操作片５３が後方に移動し、操作片５３によって補助ボタン８の底８０１が後方に押される。操作片５３によって押された補助ボタン８が貫通孔７内を後方に移動し、補助ボタン８の突起８０２がスイッチ４のプランジャ４０を後方に押し、プランジャ４０が没位置へと移動することで、スイッチ４が基板３の電気回路を通電させる。このとき、スイッチ４の反転バネ４１によって利用者にクリック感が付与され、利用者はスイッチ４が押し操作されたことがわかる。またこのとき、基板３に実装された光源３０が、例えば点灯し、導光部５５を介して表示窓５４にその光が表示されることで、利用者はスイッチ４が押し操作されたことがわかる。
【００５７】
次いで、ボタン５の操作部５０から利用者が手を離すと、ボタン５は、付勢部材９による付勢を受けて前方に移動して待機位置へと復帰する。またこのとき、スイッチ４のプランジャ４０は、反転バネ４１からの付勢力を受けて前方へと移動し、押される前の突位置へと復帰し、補助ボタン８は、突起８０２がプランジャ４０によって押されることで、前方へと移動する。このとき、補助ボタン８は、フランジ部８１が仕切り壁６の第一空間Ｓ１側の面に当たる位置まで戻るか、あるいは、仕切り壁６との間に僅かな隙間が形成される位置まで戻る。これにより、スイッチ装置１が、操作状態から待機状態へと戻る。
【００５８】
上述のように、ボタン５が押し操作されることによって、スイッチ装置１のコネクタ３１に接続された電気機器が制御される。例えば、厨房機器の電源がＯＦＦからＯＮに切り替える制御が行われる。
【００５９】
上述した手順と同様の手順で、ボタン５を再度押し操作することで、スイッチ装置１のコネクタ３１に接続された電気機器を制御することができる。例えば、厨房機器の電源を、ＯＮからＯＦＦに切り替える制御を行うことが可能である。
【００６０】
以上説明した本実施形態のスイッチ装置１では、仕切り壁６に設けられた貫通孔７に、補助ボタン８が嵌まるように配され、貫通孔７が補助ボタン８によって完全にまたは略完全に塞がれている。スイッチ装置１が待機状態にあるときと操作状態にあるときの両状態において、補助ボタン８は貫通孔７を塞いでいる。
【００６１】
そのため、本実施形態のスイッチ装置１では、ボタン５の周囲から、吹きこぼれた煮汁等の液体が貫通孔７へと入り込んだときに、この液体が、基板３が位置する第一空間Ｓ１に浸入することを、補助ボタン８によって抑制することができる。
【００６２】
また、本実施形態のスイッチ装置１では、補助ボタン８が、貫通孔７に位置する本体部８０とこの本体部８０から外側に突出して第一空間Ｓ１に位置するフランジ部８１とを有するため、本体部８０の外周面から本体部８０のスイッチ４に接触する面（つまり突起８０２の先端面）へと至る液体の浸入経路を、フランジ部８１の分だけ長くすることができる。これにより、本実施形態のスイッチ装置１では、貫通孔７と補助ボタン８との間に入り込んだ液体が、補助ボタン８の表面を伝ってスイッチ４及び基板３へと至ることが抑制される。
【００６３】
さらに、本実施形態のスイッチ装置１では、本体部８０が、底８０１を有する筒状体８００と、底８０１から後方に突出し、スイッチ４に接触する突起８０２で構成されるため、本体部８０の外周面（つまり筒状体８００の外周面）から突起８０２の先端面へと至る液体の浸入経路を、筒状体８００の内周面と、底８０１のスイッチ４側を向く面と、突起８０２の外周面の分だけさらに長くすることができる。これにより、本実施形態のスイッチ装置１では、貫通孔７と補助ボタン８との間に入り込んだ液体が、補助ボタン８の表面を伝ってスイッチ４及び基板３へと至ることがさらに抑制される。
【００６４】
また、本実施形態のスイッチ装置１では、補助ボタン８のフランジ部８１が第一空間Ｓ１に位置するため、補助ボタン８が貫通孔７から外れて第二空間Ｓ２側へと抜け落ちることを抑制できる。また、本実施形態のスイッチ装置１では、スイッチ４で構成されるストッパー１６によって補助ボタン８が貫通孔７から第一空間Ｓ１側へと抜け落ちることを抑制できる。そのため、本実施形態のスイッチ装置１では、貫通孔７内に補助ボタン８が位置して貫通孔７を塞ぐ状態が維持しやすい。
【００６５】
また、本実施形態のスイッチ装置１では、補助ボタン８の突起８０２を、断面＋（プラス）字状に設けたことで、突起８０２の先端面の面積を抑えることができて、液体が突起８０２の先端面を介してスイッチ４及び基板３へと至ることを抑制することができる。
【００６６】
また、本実施形態のスイッチ装置１では、基板３を上下方向に対して平行に（つまり起立状態に）設けたことで、補助ボタン８の外面や貫通孔７の内周面を伝って第一空間Ｓ１に浸入した液体が、基板３上にこぼれ落ちにくい。
【００６７】
（厨房機器）
続いて、上述したスイッチ装置１を備えた厨房機器１００の一例について説明する。
【００６８】
図６に示す実施形態１の厨房機器１００は、スイッチ装置１と、スイッチ装置１が組み込まれる厨房機器本体とを備える。厨房機器本体は、加熱調理部１０１と、加熱調理部１０１が組み込まれたカウンター１０２と、キャビネット１０３を備える。加熱調理部１０１は、本実施形態では、ガスコンロである。なお、加熱調理部１０１は、電磁加熱調理器であってもよい。
【００６９】
厨房機器本体は、キャビネット１０３の上端部の前面に設置される、引き出し式の操作プレート１０４をさらに備える。操作プレート１０４は、その上面に、加熱調理部１０１を操作するための各種のボタンが設けられており、引き出した使用位置において操作可能である。
【００７０】
スイッチ装置１は、本実施形態では、加熱調理部１０１の電源スイッチである。スイッチ装置１が操作されることによって、加熱調理部１０１の電源のＯＮ／ＯＦＦが切り替えられ、操作プレート１０４による各種の操作が可能となる。
【００７１】
スイッチ装置１は、図７に示す取付部材１０５を介して、キャビネット１０３の上端部に取り付けられる。スイッチ装置１は、ボタン５と補助ボタン８とスイッチ４とが水平方向に並び、仕切り壁６に貫通孔７が水平方向に貫通する姿勢で、取付部材１０５に組み込まれる。
【００７２】
取付部材１０５は、ボタン５が露出する窓１０６を一部に備える前板部１０７と、スイッチ装置１を下方から覆う下板部１０８と、スイッチ装置１を上方から覆う上板部１０９と、上板部１０９の後端部から上方に突出した立ち上がり板部１１０と、スイッチ装置１を側方から覆う一対の側板部１１１を備える。
【００７３】
取付部材１０５はさらに、下板部１０８の後端部から下方に突出した支持板部１１２と、支持板部１１２の下端部から後方に突出した固定板部１１３を備える。取付部材１０５はさらに、上板部１０９の上に取り付けられる上カバー部１１４を備える。
【００７４】
スイッチ装置１は、上板部１０９の下方に配され、この上板部１０９に対してねじ等の固定具によって固定されることによって、取付部材１０５に組み込まれる。スイッチ装置１を上板部１０９に対して固定する固定具の頭部は、上カバー部１１４によって覆い隠される。
【００７５】
取付部材１０５は、立ち上がり板部１１０の上端がカウンター１０２の下面に当たる状態で、固定板部１１３がキャビネット１０３の一部にねじ等の固定具で固定されることによって、キャビネット１０３の上端部に取り付けられる。取り付け状態において、取付部材１０５は、前板部１０７の前面が、収納位置にある操作プレート１０４の前面と、キャビネット１０３が有する扉の前面のそれぞれに対して略面一となる。前板部１０７の前面は、カウンター１０２の前端よりも後方に位置している。
【００７６】
以上説明した実施形態１の厨房機器１００においては、加熱調理部１０１で煮こぼれが生じた場合に、取付部材１０５の窓１０６を通じてスイッチ装置１のボタン５へと流れ込んだ液体が、スイッチ装置１の基板３まで到達することを、補助ボタン８によって抑制することができる。
【００７７】
（変更例）
続いて、上述した実施形態１のスイッチ装置１及び厨房機器１００の変更例について説明する。
【００７８】
スイッチ装置１は、図８に示すように、補助ボタン８のフランジ部８１と基板３との間に介在する圧縮されたコイルバネからなる付勢部材１７をさらに備えてもよい。この場合、待機状態のスイッチ装置１において、補助ボタン８のフランジ部８１が仕切り壁６に当たって、貫通孔７が補助ボタン８によって完全に塞がれる状態の維持がしやすい。
【００７９】
また、スイッチ装置１の補助ボタン８は、図９に示すように、フランジ部８１の上端部から後方に突出する拡張部８２を有してもよい。拡張部８２は、基板３及びスイッチ４よりも上方に位置し、かつ拡張部８２の先端（後端）が、基板３の後面よりも後方に位置する。拡張部８２は、突出方向（前後方向）に対して直交する断面の形状が、上方に凸の円弧状である。この場合、本体部８０の外周面から突起８０２の先端面へと至る液体の浸入経路を、拡張部８２の分だけ長くすることができ、補助ボタン８の表面を伝って液体がスイッチ４及び基板３へと至ることがさらに抑制される。
【００８０】
また、スイッチ装置１の補助ボタン８は、図１０に示すように、フランジ部８１の外周縁から前方に突出する拡張部８３を有してもよい。この場合、仕切り壁６の貫通孔７の周囲には、第一空間Ｓ１側に開口し、拡張部８３が嵌まる溝６０が設けられる。拡張部８３は、フランジ部８１の外周縁に全周に亘って円筒状に設けられている。拡張部８３は、第一空間Ｓ１側から視て、円環状である。
【００８１】
補助ボタン８の本体部８０は、溝６０に拡張部８３が嵌まる状態で、貫通孔７内に配される。拡張部８３は、補助ボタン８の突起８０２がスイッチ４を押し込んだ位置にあるときにも溝６０内に位置するように、その突出長さ（前後方向の長さ）が設定されている。拡張部８３が溝６０に嵌まることで、貫通孔７から第一空間Ｓ１へと至る液体の浸入経路が塞がれやすい。また、本体部８０の外周面から突起８０２の先端面へと至る液体の浸入経路を、拡張部８３の分だけ長くすることができ、補助ボタン８の表面を伝って液体がスイッチ４及び基板３へと至ることがさらに抑制される。
【００８２】
なお、拡張部８３は、円筒状に限らず、フランジ部８１の外周縁に設けられ、互いに隙間を介して位置する複数の円弧状の片で構成されてもよい。
【００８３】
また、スイッチ装置１の補助ボタン８は、貫通孔７に嵌まるように配され、ボタン５が押し操作されたときに補助ボタン８を介してスイッチ４が押されるように構成されていればよく、図１、図３及び図５に示す形状に限定されず、例えば、フランジ部８１及び突起８０２を有さない形状（つまり円柱状）であってもよい。
【００８４】
また、スイッチ装置１のボタン５は操作片５３を有さなくてもよい。この場合、例えば、補助ボタン８の本体部８０を貫通孔７よりも第二空間Ｓ２側に突出する長さで形成すればよい。
【００８５】
また、スイッチ装置１のストッパー１６は、スイッチ４で構成しなくてもよい。この場合、例えば、筐体本体部２０の内壁から突出するように設けたその他の部分でストッパー１６を構成すればよい。
【００８６】
また、貫通孔７は、矩形状の孔であってもよい。この場合、補助ボタン８の本体部８０は第二空間Ｓ２側から視て矩形状に設けられ、フランジ部８１は第二空間Ｓ２側から視て例えば矩形の環状に設けられる。なお、フランジ部８１は円環状でもよいし、その他の形の環状でもよい。
【００８７】
また、筒部１１は、その内周面の直径が貫通孔７の直径よりも大きくてもよいし、あるいは小さくてもよい。
【００８８】
また、スイッチ装置１は、ボタン５、補助ボタン８、及びスイッチ４がこの順に上から並び、仕切り壁６に貫通孔７が上下方向に貫通する姿勢で用いてもよい。この場合も、貫通孔７を補助ボタン８が塞ぐことができるため、液体が基板３へと至ることを抑制できる。
【００８９】
また、スイッチ装置１が組み込まれる厨房機器本体は、例えば、オーブンレンジ、食器洗浄機、食器乾燥機等であってもよい。このようにスイッチ装置１に対して液体がかかるおそれのある電気機器に対しても、スイッチ装置１は好適に用いられる。
【００９０】
（効果）
実施形態１のスイッチ装置１は、下記の第一の構成を具備することを特徴とする。
【００９１】
すなわち、実施形態１のスイッチ装置１は、筐体２と、筐体２に収容された基板３と、基板３に設けられたスイッチ４と、外部から押し操作できるように筐体２に収容されたボタン５と、筐体２内の空間を、スイッチ４及び基板３が位置する第一空間Ｓ１とボタン５が位置する第二空間Ｓ２とに仕切る仕切り壁６と、仕切り壁６に設けられた貫通孔７と、貫通孔７に嵌まるように配された補助ボタン８と、を備える。実施形態１のスイッチ装置１は、ボタン５が押し操作されたときに、補助ボタン８を介してスイッチ４が押されるように構成されている。
【００９２】
実施形態１のスイッチ装置１では、ボタン５が位置する第二空間Ｓ２と、基板３が位置する第一空間Ｓ１とを繋ぐ貫通孔７に、補助ボタン８が嵌まるように配されている。これにより、第一の態様の厨房機器用のスイッチ装置１では、吹きこぼれた煮汁等の液体が、貫通孔７を通じて基板３へと至ることを、補助ボタン８によって抑制することができる。
【００９３】
また、実施形態１のスイッチ装置１は、上記の第一の構成に加えて、下記の第二の構成を付加的に具備する。
【００９４】
すなわち、実施形態１のスイッチ装置１では、補助ボタン８は、本体部８０と、本体部８０から外側に突出したフランジ部８１とを有する。本体部８０が貫通孔７に位置し、フランジ部８１が第一空間Ｓ１に位置する。
【００９５】
実施形態１のスイッチ装置１では、本体部８０の外周面から本体部８０のスイッチ４に接触する面へと至る液体の浸入経路を、フランジ部８１の分だけ長くすることができ、補助ボタン８の表面を伝って液体がスイッチ４及び基板３へと至ることが抑制される。加えて、実施形態１のスイッチ装置１では、補助ボタン８のフランジ部８１が第一空間Ｓ１に位置するため、補助ボタン８が貫通孔７から外れて第二空間Ｓ２側へと抜け落ちることを抑制できる。
【００９６】
また、実施形態１のスイッチ装置１は、上記の第一及び第二の構成に加えて、下記の第三の構成を付加的に具備する。
【００９７】
すなわち、実施形態１のスイッチ装置１は、第一空間Ｓ１に位置し、補助ボタン８の第一空間Ｓ１側への移動を規制するストッパー１６をさらに備える。
【００９８】
実施形態１のスイッチ装置１では、ストッパー１６によって補助ボタン８が貫通孔７から第一空間Ｓ１側へと抜け落ちることを抑制できる。したがって、実施形態１のスイッチ装置１では、補助ボタン８が、貫通孔７から第一空間Ｓ１側へ抜け落ちることと第二空間Ｓ２側へ抜け落ちることを共に抑制することができて、補助ボタン８が貫通孔７内に位置して貫通孔７を塞ぐ状態を維持しやすい。
【００９９】
また、実施形態１のスイッチ装置１は、上記の第一乃至第三の構成に加えて、下記の第四の構成を付加的に具備する。
【０１００】
すなわち、実施形態１のスイッチ装置１では、ストッパー１６は、スイッチ４で構成されている。
【０１０１】
実施形態１のスイッチ装置１では、スイッチ４がストッパー１６を兼ねるため、ストッパー１６を別途設ける必要がなく、構造のコンパクト化を図ることができる。
【０１０２】
また、実施形態１のスイッチ装置１は、上記の第一及び第二の構成、第一乃至第三の構成、第一乃至第四の構成のいずれかに加えて、下記の第五の構成を付加的に具備する。
【０１０３】
すなわち、実施形態１のスイッチ装置１では、本体部８０は、底８０１を有する筒状体８００と、底８０１からスイッチ４側に突出した突起８０２とを含む。実施形態１のスイッチ装置１は、ボタン５が押し操作されたときに、突起８０２によってスイッチ４が押されるように構成されている。
【０１０４】
実施形態１のスイッチ装置１では、本体部８０の外周面（つまり筒状体８００の外周面）から突起８０２の先端面へと至る液体の浸入経路を、筒状体８００の内周面と、底８０１のスイッチ４側を向く面と、突起８０２の外周面の分だけさらに長くすることができる。これにより、実施形態１のスイッチ装置１では、貫通孔７と補助ボタン８との間に入り込んだ液体が、補助ボタン８の表面を伝ってスイッチ４及び基板３へと至ることがさらに抑制される。
【０１０５】
また、実施形態１の厨房機器１００は、下記の第六の構成を具備することを特徴とする。
【０１０６】
すなわち、実施形態１の厨房機器１００は、上記の第一乃至第五の構成の一部または全部の組み合わせのスイッチ装置１と、スイッチ装置１が組み込まれる厨房機器本体と、を備える。厨房機器用のスイッチ装置１は、ボタン５と補助ボタン８とスイッチ４が水平に並び、貫通孔７が仕切り壁６を水平方向に貫通するように厨房機器本体に設置されている。
【０１０７】
実施形態１の厨房機器１００では、貫通孔７が仕切り壁６に対して水平方向に貫通するため、貫通孔７に液体が入り込みにくく、また、補助ボタン８の外面を伝って第一空間Ｓ１へと浸入した液体が、基板３上にこぼれ落ちにくい。
【０１０８】
また、実施形態１の厨房機器１００は、上記の第六の構成に加えて、下記の第七の構成を付加的に具備する。
【０１０９】
すなわち、実施形態１の厨房機器１００では、厨房機器本体は、加熱調理部１０１を備え、厨房機器用のスイッチ装置１は、加熱調理部１０１よりも下方に位置する。
【０１１０】
実施形態１の厨房機器１００では、加熱調理部１０１で煮こぼれが生じたときに、この煮こぼれがスイッチ装置１内の基板３へと至ることを効果的に抑制することができる。
【０１１１】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１１２】
１      スイッチ装置
２      筐体
３      基板
４      スイッチ
５      ボタン
６      仕切り壁
７      貫通孔
８      補助ボタン
１６    ストッパー
８０    本体部
８１    フランジ部
８００  筒状体
８０１  底
８０２  突起
１００  厨房機器
１０１  加熱調理部
Ｓ１    第一空間
Ｓ２    第二空間
【図１】
2018088370.tif 000003
【図２】
2018088370.tif 000004
【図３】
2018088370.tif 000005
【図４】
2018088370.tif 000006
【図５】
2018088370.tif 000007
【図６】
2018088370.tif 000008
【図７】
2018088370.tif 000009
【図８】
2018088370.tif 000010
【図９】
2018088370.tif 000011
【図１０】
2018088370.tif 000012